(57)【特許請求の範囲】
【請求項１】
超音波画像に基づいて動脈壁を特定し、動脈内径の変化に基づいて動脈特性を測定する動脈特性検査装置において、
被験者の動脈内径の変化が安定している時間帯の超音波画像の記録データに基づいて、動脈内径の変動量の基準値を演算する基準値演算手段と、
該被験者の超音波画像の全記録データに基づく動脈内径の変動量と前記基準値とを比較し、全記録データの変動量のうち、前記基準値を超えた変動量が発生した時点を特定するノイズ発生時点特定手段と、
前記基準値を超えた変動量が発生した時点において、前記ノイズ発生時点における動脈内径の変動量と前記基準値との差分に基づいて、前記超音波画像の記録データにおいて、新たな箇所で動脈壁候補を検索する動脈壁候補特定手段と、
前記動脈壁候補特定手段により特定された動脈内径の変動量と前記基準値とを比較し、動脈壁の特定が正しいものか否か判断する動脈壁トレース手段とを備えたことを特徴とする動脈特性検査装置。
【請求項２】
前記基準値演算手段が、前記動脈壁トレース手段による特定された動脈内径の変動量に基づいて、前記解析した動脈内径の基準値を更新する基準値更新手段を備えていることを特徴とする請求項１記載の動脈特性検査装置。
【発明の詳細な説明】
【技術分野】
【０００１】
本発明は、超音波画像等、画像診断装置により取得された動脈画像に基づいて、動脈壁運動を評価し、動脈の壁硬化度や血管内皮機能等を診断するための動脈特性検査装置に関する。
【背景技術】
【０００２】
心臓の血液駆出に対する動脈壁の伸展と戻りの運動は，血液駆出によって生じる圧の変化（増減）の情報とあわせることで，動脈硬化度の指標とすることができる。
また、一時的な動脈血流遮断及び解放後の動脈血流増大に伴う一時的な動脈内径の収縮並びに拡張応答から血管内皮機能を評価することができる。
【０００３】
下記特許文献１には、被検体の血管を含む画像データに基づいて血管壁の厚み方向の輝度分布を取得し、この輝度分布に基づいて、外膜基準点及び内膜基準点を設定し、血管の外膜及び内膜の領域を抽出し、輝度分布に現れる極大点のうち、最大輝度を有する極大点を外膜基準点として設定することにより、血管の内腔側に探索して内膜基準点を設定することが示されている。
【０００４】
下記特許文献２には、検出された境界位置、中膜位置、外膜位置により分割された複数範囲をユーザが任意に選択できるようにし、選択した範囲内に限定して血管壁の移動量を表示可能とすることが示されている。
【０００５】
下記特許文献３には、生体の表皮下に位置する血管に交差して該表皮上に配置された２つのアレイから検出されるエコー信号に基づいて、血管壁のうち対応する部位の位置を算出し、血管の直交断面における形状が算出することが示されている。
【先行技術文献】
【特許文献】
【０００６】
【特許文献１】特許公開２００８−１６１２２０号公報
【特許文献２】特許公開２００６−１２２２９５号公報
【特許文献３】特許公開２００６−３４６６７号公報
【発明の概要】
【発明が解決しようとする課題】
【０００７】
従来の動脈特性検査装置においては、選択した範囲（Region of interest：ROI）内に限定して、輝度分布に基づき輝度の高い箇所に基づき動脈壁をトレースし、脈動の程度を評価しているが、従来の画像処理によれば、輝度分布の空間的連続性は考慮されておらず、選択した範囲内に動脈壁の輝度より高い組織が入ってきた場合、トレースしている。
その結果、被験者の体動や呼吸運動等によって選択した範囲内に、動脈壁よりも輝度の高い他の組織が混入してきた場合に、動脈内壁でない輝度の高い他の組織を、誤ってトレースする可能性が高まることが問題点として挙げられる。
【０００８】
このような場合、画像解析者は、画像の状態からエラーを識別し、ＲＯＩにおける輝度のトレースを、フレーム単位で修正することにより、正確な動脈内径の変化を計測している。すなわち、異常発生時のフレームを特定し、フレーム単位で、トレース部分を補正入力（画面上で、補正箇所入力）した上で画像を再解析することが必要となり、解析負担が非常に高く、時間を要するとともに高度な熟練が要求される。
また、解析が極端に困難になる場合などでは、再検査を行わざるを得ず、被験者の負担を増大するとともに、早期に適格な診断を行うことが不可能になる場合も生じることになる。
【０００９】
そこで、本発明は、ＲＯＩ内に動脈壁よりも輝度の高い他の組織が混入してきた場合でも、解析装置によりその状態を正確に識別し、適切に動脈内径のトレースを行い、解析者による複雑な再解析負担の低減を図り、被験者の動脈特性を早期かつ正確に診断し、早期治療を可能にすることを目的としている。
【課題を解決するための手段】
【００１２】
上記の課題を解決するため、本発明の動脈特性検査装置においては、次のような技術的手段を講じた。すなわち、
（１）超音波画像に基づいて動脈壁を特定し、動脈内径の変化に基づいて動脈特性を測定する動脈特性検査装置において、被験者の動脈内径の変化が安定している時間帯の超音波画像の記録データに基づいて、動脈内径の変動量の基準値を演算する基準値演算手段と、該被験者の超音波画像の全記録データと前記基準値とを比較し、全記録データの変動量のうち、前記基準値を超えた変動量が発生した時点を特定するノイズ発生時点特定手段と、前記基準値を超えた変動量が発生した時点において、前記超音波画像の記録データに基づいて、新たな箇所で動脈壁候補を検索する動脈壁候補特定手段と、前記動脈壁候補特定手段により特定された動脈内径の変動量と前記基準値とを比較し、動脈壁の特定が正しいものか否か判断する動脈壁トレース手段とを備えるようにした。
【００１３】
（２）上記動脈特性検査装置において、前記基準値演算手段が、前記動脈壁トレース手段による特定された動脈内径の変動量に基づいて、前記解析した動脈内径の基準値を更新する基準値更新手段を備えるようにした。
【発明の効果】
【００１５】
上記（１）、（２）の技術的手段によれば、動脈特性検査装置が、ノイズ発生時点特定手段による特定されたノイズ発生時点において、超音波画像に基づいて、新たな箇所で動脈壁を再度特定し、特定された動脈内径の変動量が基準値以内となるよう、自動的に動脈壁の特定を行うから、特別なハードウエアを使用しなくても、被験者の体動にかかわりなく、動脈特性を正確に診断することができる。
【図面の簡単な説明】
【００１６】
【図１】動脈壁付近の超音波画像の一例を示す図である。
【図２】超音波画像データに基づいて、特定断面における平均動脈内径のフレーム単位の変化の状態を示す図である。
【発明を実施するための形態】
【００１７】
以下、本発明の実施例について説明する。
【実施例】
【００１８】
本実施例では、先行技術に開示されているような従来技術と同様、超音波画像により取得された動脈画像に基づいて、動脈壁運動を評価し、動脈の硬化度等を診断することを前提にしており、図１に実際の超音波画像及び動脈壁運動測定の特徴点を検出する領域（ＲＯＩ）における特定断面の輝度情報の例が示されている。
一般に血管壁は、薄い内膜、中膜、外膜からなり、外膜は血管壁を外部から守るためのもので、最も硬度が高く、超音波画像では、もっとも輝度レベルが高く、白く表示される。動脈内腔は輝度が最も低く、黒く表示される。外膜と動脈内腔との間に位置する内膜と中膜は、外膜よりも輝度が低く、灰色で表示される。従来の超音波診断装置の画像では内膜と中膜とを区別することが不可能であるため、内中膜複合体と呼ばれる。
【００１９】
図１において、右側の超音波画像データにおける白い四角内がＲＯＩを示しており、ＲＯＩの左側の特定断面の輝度情報分布が、左側に示されている。
この輝度情報分布に基づいて、画像処理ソフトウェアにより血管の外膜内縁（破線）及び内中膜複合体内縁（実線）が自動的に検出され、動脈前壁側（上側）の外膜内縁あるいは内中膜複合体内縁から動脈後壁側（下側）の内中膜複合体内縁あるいは外膜内縁までの平均距離が演算され、特定された外膜をＲＯＩにおける断面を右側の超音波画像データにおける左右方向にトレースすることにより、平均動脈内径の変化に基づき、動脈壁運動を評価する。
【００２０】
超音波による画像は、本実施例は毎秒３０フレームでサンプリングされるが、図２は、上述のように演算された、特定断面における平均動脈内径のフレーム単位の変化の状態を示している。
これを、図１右側のＲＯＩにおいて、左右方向にトレースすることにより、平均動脈内径の空間的変化及び時間的変化を解析することにより、動脈壁運動を評価し、動脈硬化度等を診断することができる。
【００２１】
ところが、実際の検査では、図２において６点の矢印で示したように、平均動脈内径の極大値が他と比較して極端に上昇している場合があり、このフレーム範囲の時間で、例えば被験者が体動を行ったことなどにより、このような平均動脈内径の極大値の急上昇が発生したことが推測される。
このように、平均動脈内径の極端な上昇によりＲＯＩ内に筋肉組織等の動脈外膜と同程度あるいはより輝度の高い組織が入ってしまうと、この組織を血管内壁と誤判定する可能性が高くなる。
そこで、このノイズを特定し、これを排除するため、本実施例では、次のような処理を行う。
【００２２】
（１）動脈画像の取り込み
超音波医用画像診断装置により取得された様々なフォーマットの動脈画像（ビデオクリップ）を画像処理ソフトウェアに取り込み、画像内に表示されている長さ表示と、画像のピクセル数を対応させて、長さのキャリブレーションを行う。
【００２３】
（２）ＲＯＩの指定
動脈壁運動測定の特徴点（動脈壁）を検出する領域（ＲＯＩ）を指定する。
これにより、解析装置のソフトウェアによる画像処理で、ＲＯＩにおける輝度の散布状況から、特徴点を検出し、動脈壁を自動的に決定し、平均動脈内径及びその変動量から動脈壁移動速度を求める。
なお、解析者は、自動検出された動脈壁が明らかに誤りであると判断した場合、ＲＯＩの再指定等、任意で変更することができる。
【００２４】
（３）基準データの取得
一般に、平均動脈内径の変動量が許容値内か否かは、被験者により相違する。
そこで、ノイズが少なく画像が鮮明で、比較的変動が少ない動脈壁の検出が容易な時間帯（５〜10秒程度）を抽出し、抽出されたデータに基づいて、画像処理ソフトウェアにより、解析対象となる被験者の正常な動脈内径及び動脈壁移動速度に関する基準データを取得する。
【００２５】
（４）解析
解析対象とするビデオクリップを使い、ＲＯＩを指定すると、画像処理ソフトウェアは、指定されたＲＯＩにおける動脈壁の検出を行う。
そして、先に取得した基準データと比較し、動脈壁移動速度の変動（差分）が基準データにおける変動を大きく上回る場合、ノイズの混入によって生じる空間的不連続性及び時間的不連続性が発生したことを判別し、適切な動脈壁検出を行う。
【００２６】
すなわち、動脈壁移動速度の変動（差分）が基準データにおける変動を大きく上回る場合、例えば、変動前後の動脈壁直径と基準データにおける動脈壁直径について、両者の極大値あるいは平均値とを比較し、その差分に基づいて、画像処理ソフトウェアにより輝度分布を探索する領域を特定し、その領域内で、輝度の散布状況から、特徴点を検出し動脈壁の決定を行う。
そして、新たに特定された動脈壁に基づいて、再度基準データと比較し、動脈壁の特定が正しく行われたかを検証する。なお、この特定によっても、動脈壁移動速度の変動（差分）が基準データにおける変動を上回る場合は、解析者は再度別の箇所を特定するよう、操作パネル等で指示してもよいし、手動により動脈壁特定箇所を指定するようにしてもよい。
【００２７】
このようにして動脈壁が適切に特定された場合、それによる動脈壁移動速度のデータに基づいて、動脈壁移動速度の基準データを随時更新すれば、その後の解析精度をさらに高めることができる。
【００２８】
以上のように、画像処理ソフトウェアは、解析対象者の基準データから得られた動脈壁動作速度に基づき、動脈壁の脈動に伴う伸展と戻りの運動以外の被験者の体動などによる影響を、空間的不連続性及び時間的不連続性として認識し、これを排除することにより、動脈壁の脈動に伴う伸展と戻りの運動のみを抽出することができる。
【００２９】
すなわち、解析結果として、ビデオクリップの１フレーム毎の動脈内径の時系列変化が提示され、時系列データから、１拍動毎の最大内径（心収縮期内径）と最小内径（心拡張期内径）が抽出される。
同時に記録された血圧データと同期させて解析することで、動脈壁硬化度及び粘弾性を正確に評価することもできるし、同時に記録された血流データと同期させて解析することで、血管内皮機能が評価することも可能になる。
【００３０】
なお、基準データとの比較に基づいた許容値が得られた時点で、その値が妥当かどうかの最終的な判断は、解析者が行うことになるが、上記のように、基準データとの対比により、被験者の体動などによる影響を、基準空間的不連続性及び時間的不連続性として正確に認識できるので、解析者の負担を低減するとともに、再検査に伴う被験者の負担を低減するとともに、早期に適格な診断を行うことが可能になる。
【００３１】
なお、空間的不連続性及び時間的不連続性の補完後でも、操作者は解析結果の修正が適切に行われたかどうかを、画像上で確認し、ポインタ等により、ＲＯＩを再指定するなど、任意に修正できるようにすることが好ましい。
【産業上の利用可能性】
【００３２】
以上のように、本発明によれば、新たなハードウエアを追加することなく、画像処理ソフトウェアを変更するだけで、コストアップを伴うことなく、動脈特性検査の信頼性を高めるとともに、被験者、解析者の負担を低減し、早期に的確な診断が可能になるので、動脈特性検査装置に広く適用されることが期待できる。
【図１】
0005495030.tif 000002
【図２】
0005495030.tif 000003